(57)【要約】【課題】対の保持パーツの移動を連係させる連係手段の構成を変えることなく、保持パーツの付勢に抗したスライド移動のストローク量を必要に応じて自由度高く変更できるようにする。【解決手段】電子機器Ｐの収容部１の中央を挟んだ両側にそれぞれ備えられると共に、基準位置より収容部１の中央側から離れる方向にスライド移動可能に支持された保持パーツ２と、両保持パーツ２、２をそれぞれ前記基準位置に位置づけるように付勢する付勢手段３と、両保持パーツ２、２の前記移動の連係手段４とを備えている。連係手段４が、回転体４０の回転中心４０ａを挟んだ一方側と一方の保持パーツ２を連絡させるリンクロッド４１と、この回転体４０の回転中心４０ａを挟んだ他方側と他方の保持パーツ２を連絡させるリンクロッド４２とを備えてなる。【選択図】図２
2009234549.tif 000002
【特許請求の範囲】
【請求項１】
所望の対象物に保持対象物を取り外し可能に保持させるために、この対象物に備え付けられるホルダー装置であって、
保持対象物の収容部と、
少なくとも収容部の中央を挟んだ両側にそれぞれ備えられると共に、基準位置より収容部の中央側から離れる方向にスライド移動可能に支持された保持パーツと、
両保持パーツをそれぞれ前記基準位置に位置づけるように付勢する付勢手段と、
両保持パーツの前記移動の連係手段とを備えており、
この連係手段が、
回転体と、
この回転体の回転中心を挟んだ一方側と一方の保持パーツを連絡させるリンクロッドと、
この回転体の回転中心を挟んだ他方側と他方の保持パーツを連絡させるリンクロッドとを備えてなることを特徴とするホルダー装置。
【請求項２】
収容部は凹状をなすように構成されていると共に、その内壁に形成された窓穴を通じて保持パーツの一部が収容部内に突き出されるようになっていることを特徴とする請求項１に記載のホルダー装置。
【請求項３】
付勢手段を、バネ一端を一方の保持パーツ又はリンクロッドに接続させ、かつ、バネ他端を他方の保持パーツ又はリンクロッドに接続させたバネ部材としてなることを特徴とする請求項１又は請求項２に記載のホルダー装置。
【請求項４】
付勢手段を、収容部側と保持パーツ又はリンクロッドとの間に介在されて、保持パーツを基準位置に位置づけるように付勢するバネ部材としてなることを特徴とする請求項１又は請求項２に記載のホルダー装置。
【請求項５】
リンクロッドの一端が保持パーツに回動可能に組み合わされていることを特徴とする請求項１〜４のいずれか１項に記載のホルダー装置。
【発明の詳細な説明】
【技術分野】
【０００１】
この発明は、所望の対象物に備え付けられて、この対象物に保持対象物を取り外し可能に保持させるために用いられるホルダー装置の改良に関する。
【背景技術】
【０００２】
携帯電話機を車両内で保持する装置として、特許文献１に示されるものがある。この装置は、リターンスプリングの弾性付勢力に抗して摺動操作されるスライダと、このスライダの下端に上端をそれぞれ回動可能に組み付けさせた一対のリンクと、この一対のリンクの下端をそれぞれ案内するガイドとを備え、この一対のリンクの下端を開き出させる向きの移動によって携帯電話機の一対の保持片を拡開させるようになっている。しかるに、かかる装置にあっては、一対の保持片の拡開ストロークを大きくさせるためには、必然的にスライダの上下方向の移動ストロークを大きくせざるを得ないものであった。
【特許文献１】特開平１０−１５７５２４号公報
【発明の開示】
【発明が解決しようとする課題】
【０００３】
この発明が解決しようとする主たる問題点は、保持対象物の保持をなす装置において、この保持をなす対の保持パーツの移動を連係させる連係手段の構成を変えることなく、保持パーツの付勢に抗したスライド移動のストローク量を必要に応じて自由度高く変更できるようにする点にある。
【課題を解決するための手段】
【０００４】
前記課題を達成するために、この発明にあっては、ホルダー装置を、以下の（１）〜（６）の構成を備えたものとした。
（１）所望の対象物に保持対象物を取り外し可能に保持させるために、この対象物に備え付けられるホルダー装置であって、
（２）保持対象物の収容部と、
（３）少なくとも収容部の中央を挟んだ両側にそれぞれ備えられると共に、基準位置より収容部の中央側から離れる方向にスライド移動可能に支持された保持パーツと、
（４）両保持パーツをそれぞれ前記基準位置に位置づけるように付勢する付勢手段と、
（５）両保持パーツの前記移動の連係手段とを備えており、
（６）この連係手段が、
回転体と、
この回転体の回転中心を挟んだ一方側と一方の保持パーツを連絡させるリンクロッドと、
この回転体の回転中心を挟んだ他方側と他方の保持パーツを連絡させるリンクロッドとを備えてなる。
【０００５】
前記付勢手段により基準位置に位置づけられている保持パーツ間の間隔よりもこの向きの寸法を大きくし、かつ、収容部に収まる大きさを持った保持対象物を収容部に納めるときは、この保持対象物への保持パーツの突き当たりにより、あるいは、保持パーツ自体の操作により、保持パーツを前記付勢手段の付勢に抗する向きにスライド移動させながら保持対象物を一対の保持パーツ間に受け入れさせることができる。前記連係手段により、一方の保持パーツが前記付勢に抗する向きにスライド移動されるときは他方の保持パーツをこれと逆向きにスライド移動させて一対の保持パーツ間に保持対象物を受け入れさせやすくできる。かかる連係手段は、前記回転体を介して一対のリンクロッドを連係させており、保持パーツのスライド移動のストロークは回転体の回転量に比例して増減する。回転体の両端の移動軌跡はその回転中心を円心とする仮想の円の円弧上からズレることはなく、保持パーツのスライド移動のストロークを増やすようにしてもホルダー装置の大きさや各パーツの配置（レイアウト）を変更する必要はない。
【０００６】
かかる収容部を凹状をなすように構成させると共に、その内壁に形成された窓穴を通じて保持パーツの一部が収容部内に突き出されるようにしておけば、基準位置において窓穴からそれぞれ一部を突き出させる保持パーツ間に、この保持パーツを付勢に抗する向きにスライド移動させた状態で保持対象物を納め、これを保持させることができる。
【０００７】
付勢手段を、バネ一端を一方の保持パーツ又はリンクロッドに接続させ、かつ、バネ他端を他方の保持パーツ又はリンクロッドに接続させたバネ部材としておけば、あるいはまた、収容部側と保持パーツ又はリンクロッドとの間に介在されて、保持パーツを基準位置に位置づけるように付勢するバネ部材としておけば、保持パーツ間においてこのバネ部材の付勢によって収容部に納められた保持対象物を挟み付け保持させることができる。
【０００８】
前記リンクロッドの一端を保持パーツに回動可能に組み合わさせておくことで、回転体の回転によって一方の保持パーツのスライド移動によって他方の保持パーツがこれと反対向きにスライド移動されるようにすることができる。
【発明の効果】
【０００９】
この発明にかかるホルダー装置によれば、一対の保持パーツの付勢手段の付勢に抗したスライド移動が、回転体の回転によって連係されていることから、かかるスライド移動のストローク量を増減させても連係手段の構成は変える必要はなく、このストローク量を大きく確保しながらホルダー装置をコンパクトに構成させることもできるものである。
【発明を実施するための最良の形態】
【００１０】
以下、図１〜図５に基づいて、この発明を実施するための最良の形態について説明する。
【００１１】
なお、ここで図１、図４および図５は実施の形態にかかるホルダー装置をそれぞれ表しており、特に図４および図５はホルダー装置の収容部１に電子機器Ｐを保持させた状態を示している。また、図５においては電子機器Ｐを取り外し可能に保持する対象物Ｓの一部を想像線で表している。
【００１２】
また、図２はアウターケース５の枠状体５１とインナーケース６のカバー６０を取り外したホルダー装置の内部構成を、図３はアウターケース５の枠状体５１と、対の保持パーツ２、２と連係手段４と付勢手段３とを、図２の反対側から見て示している。
【００１３】
この実施の形態にかかるホルダー装置は、所望の対象物Ｓに備え付けられて、この対象物Ｓに電子機器Ｐなどの保持対象物、典型的には少なくとも外面部にある程度の硬さないしは剛性を備えた物品を取り外し可能に保持させるために用いられるものである。
【００１４】
かかるホルダー装置は、典型的には、自動車、航空機、船舶、鉄道車両の室内における内装品となって、この室内において、携帯型デジタル音楽プレイヤー、液晶ディスプレイ、携帯電話、カーナビゲーションなどの電子機器Ｐや、こうした室内で利用される各種の物品を取り外し可能に保持させるために用いられる。
【００１５】
図示の例では、かかるホルダー装置は、自動車などの座席の背もたれの背面Ｓｂや、ヘッドレストの背面Ｓｂに取り付けられて、この座席の後方において前記のような電子機器Ｐを利用しやすいように、かかる電子機器Ｐをかかる座席に取り外し可能に保持させるのに適した構造を備えている。（図５）
【００１６】
かかるホルダー装置は、電子機器Ｐの収容部１と、この収容部１に納められた電子機器Ｐの保持パーツ２と、この保持パーツ２の付勢手段３と、一対の保持パーツ２、２の連係手段４とを備えている。
【００１７】
図示の例では、かかる収容部１は、略長方形の外郭形状を備えた比較的薄い盤状をなす電子機器Ｐを、その表示面Ｐａと反対の背面Ｐｂ側から納め入れ可能に構成されると共に、このように納められた電子機器Ｐの表示面Ｐａによって入り口１ａを塞がれる大きさと深さとを備えた凹状をなすように構成されている。
【００１８】
図示の例では、ホルダー装置は、アウターケース５とインナーケース６とを備えている。アウターケース５は前面を開放させた箱状をなす。アウターケース５は箱状主体５０にインナーケース６を納めた状態から、この箱状主体５０の開口に枠状体５１を取り付けインナーケース６の後述する取り付け用突きだし部６１ｂをこの枠状体５１により隠すようになっている。インナーケース６は前方に開放された凹状をなす収容部１を備え、アウターケース５の開放部よりアウターケース５内に納め入れ組み付けられている。図示の例では、所望の対象物Ｓ、例えば、前記背もたれやヘッドレストの背面Ｓｂに形成させた凹部Ｓａにアウターケース５を入れ込み止め付けることで、この背面Ｓｂにアウターケース５およびインナーケース６の前面を略同面上に位置づけさせるようにしてホルダー装置が取り付けられるようになっている。（図５）図示の例では、かかる収容部１に納められる電子機器Ｐの表示面Ｐａがアウターケース５およびインナーケース６の前面よりもやや内方に位置されるように収容部１が構成されており、ホルダー装置を介して前記対象物Ｓに見栄え良く電子機器Ｐを保持させることができるようになっている。
【００１９】
インナーケース６は、カバー６０とベースパーツ６１とから構成されている。カバー６０は、凹状をなす収容部１の入り口１ａを巡る額縁部６０ａと、この収容部１の内壁となる内壁部６０ｂと、この収容部１の底となる底板部６０ｃとを備えている。保持パーツ２は、インナーケース６の左右において内壁部６０ｂを貫通した窓穴６０ｄからその一部をインナーケース６内に突き出させるように備えられている。ベースパーツ６１は、縁部に前方に向けた立ち上がり部６１ａを備えると共に、左右にアウターケース５への取り付け用突きだし部６１ｂを備えたトレイ状をなすように構成されている。図示の例では、アウターケース５の箱状体５０と枠状体とを組み合わせることでアウターケースの左右にそれぞれ軸穴部５２が形成されるようになっていると共に、このように形成される左右の軸穴部５２にベースパーツ６１の対応する取り付け用突きだし部６１ｂを任意の回動位置での保持可能に回動可能に入れ込ませて、アウターケース５にインナーケース６を回動調整可能に組み合わせている。（図５）かかる取り付け用突きだし部６１ｂの任意の回動位置での保持は、例えば、取り付け用突きだし部６１ｂの外周面と軸穴部５２の内周面とを摩擦抵抗高く接し合わせることで確保させることができる。すなわち、図示の例では、左右の取り付け用突きだし部６１ｂの軸中心を通る左右方向に沿った仮想の軸線を中心として、インナーケース６を回動調整できるようにしており、これによりかかるインナーケース６に保持される電子機器Ｐの表示面Ｐａの角度を調整できるようになっている。このベースパーツ６１の左右にはそれぞれ、保持パーツ２を図４における左右方向にスライド移動可能に支持するガイド部６１ｃが形成されている。
【００２０】
保持パーツ２は、図４における上下方向に沿った両辺を備えた方形の前面２０ａを有して前後方向（図５における上下方向）に厚さを持ったブロック部２０と、このブロック部２０における他方の保持パーツ２に向けられた側（以下、内側という。）からブロック部２０の前面２０ａとの間に段差を形成させるようにして内側に突き出す板状突片２１とを備えている。板状突片２１はさらに、幅広基部２１ａと、この幅広基部２１ａに一端を一体に連接させて内側に突き出す幅狭部２１ｂとを備えている。ブロック部２０と板状突片２１との間の段差面２１ｃとこの段差面２１ｃの上縁に続くブロック部２０の前面２０ａの一部が、前記窓穴６０ｄから収容部１内に突き出される保持パーツ２の一部となっている。この段差面２１ｃ上のブロック部２０の前面２０ａには隆起部２０ｂが形成されている。図示の例では、かかるブロック部２０における段差面２１ｃと前面２０ａの一部とがゴム又はゴム状弾性を備えたプラスチックよりなるカバー２２によって覆われている。このブロック部２０の前記前面の一部を覆うカバー２２にさらに滑り止めの溝などを形成させておいても良い。
【００２１】
保持パーツ２は、前記ベースパーツ６１のガイド部６１ｃにブロック部２０と板状突片２１の幅広基部２１ａとを上下から挟み込み状に支持されて左右方向へのスライド移動可能にベースパーツ６１に組み合わされている。かかるガイド部６１ｃにはその内端から上下方向に突き出して前記付勢手段３の付勢により板状突片２１の幅広基部２１ａに突き当たる規制部６１ｄが備えられている。それと共に、保持パーツ２の前記一部は、このベースパーツ６１を前方から覆うようにこのベースパーツ６１に組み合わされるカバー６０の窓穴６０ｄから突き出されるようになっている。保持パーツ２の他の部分はかかるカバー６０によって隠される。
【００２２】
保持パーツ２の付勢手段３は、この実施の形態にあっては、左右一対の保持パーツ２、２をそれぞれ、前記窓穴６０ｄから前記一部をもっとも突き出させた基準位置（図１の位置）に位置づけさせるものとなっている。
【００２３】
図示の例では、かかる付勢手段３を、バネ一端３０ａを右側の保持パーツ２の板状突片２１の幅狭部２１ｂに止着接続させ、かつ、バネ他端３０ｂを左側の保持パーツ２の板状突片２１の幅狭部２１ｂに止着接続させたバネ部材としての引っ張りコイルバネ３０によって構成させている。すなわち、図示の例では、インナーケース６のカバー６０とベースパーツ６１との間に配された左右方向にバネの巻回軸線を沿わせた引っ張りコイルバネ３０によって左右の保持パーツ２、２が繋がれたようになっている。
【００２４】
図示の例とは別に、後述する右側の保持パーツ２に接続されたリンクロッド４１と左側の保持パーツ２に接続されたリンクロッド４２との間に引っ張りコイルバネを張り込んで左右一対の保持パーツ２、２をそれぞれ、前記窓穴６０ｄから前記一部をもっとも突き出させた基準位置に位置づけさせるようにしておくこともできる。
【００２５】
また、右側の保持パーツ２と収容部１側となるインナーケース６のベースパーツ６１における立ち上がり部６１ａの内壁との間に圧縮コイルバネを介在させると共に、左側の保持パーツ２と収容部１側となるインナーケース６のベースパーツ６１における立ち上がり部６１ａの内壁との間に圧縮コイルバネを介在させて、左右一対の保持パーツ２、２をそれぞれ、前記窓穴６０ｄから前記一部をもっとも突き出させた基準位置に位置づけさせるようにしておくこともできる。
【００２６】
左右の保持パーツ２の連係手段４は、回転体４０と、
この回転体４０の回転中心４０ａを挟んだ一端側と右側の保持パーツ２を連絡させる右側のリンクロッド４１と、
この回転体４０の回転中心４０ａを挟んだ他端側と左側の保持パーツ２を連絡させる左側のリンクロッド４２とから構成されている。
【００２７】
回転体４０は、細長い板状をなすと共に、その長さ方向略中程の位置を、インナーケース６のベースパーツ６１の略中央に前後方向に軸線を沿わせた軸４０ｂをもって回転可能に組み付けさせている。回転体４０は、引っ張りコイルバネ３０とカバー６０の底板部６０ｃとの間に位置されるようになっている。
【００２８】
左右のリンクロッド４１、４２はいずれも、細長い板状をなすように構成されている。図示の例では、右側のリンクロッド４１は収容部１の中央側に位置される内端４１ａを回転体４０の上端部に回動可能に組み付けると共に、その外端４１ｂを右側の保持パーツ２のブロック部２０の裏面に回動可能に組み付けさせている。（図２）また、左側のリンクロッド４２は収容部１の中央側に位置される内端４２ａを回転体４０の下端部に回動可能に組み付けると共に、その外端４２ｂを左側の保持パーツ２のブロック部２０の裏面に回動可能に組み付けさせている。（図２）図示の例では、回転体４０の回転中心４０ａからその上端部との間の長さと、この回転中心４０ａからその下端部との間の長さは、略等しくなっている。両リンクロッド４１、４２の回動組み付け箇所の軸の軸線は回転体４０の軸４０ｂの軸線と平行をなしている。
【００２９】
前記付勢手段３により基準位置に位置づけられている左右の保持パーツ２、２間の間隔より大きい左右寸法を備え、かつ、収容部１に収まる大きさを持った電子機器Ｐを収容部１に納めるときは、この電子機器Ｐへの保持パーツ２の突き当たりにより、あるいは、保持パーツ２自体の操作により、保持パーツ２を前記付勢手段３の付勢に抗する向きにスライド移動させながら電子機器Ｐを左右の保持パーツ２、２間に受け入れさせることができる。前記連係手段４により、一方の保持パーツ２が前記付勢に抗する向きにスライド移動されるときはこれと同じストローク分他方の保持パーツ２をこれと逆向きにスライド移動させて左右の保持パーツ２、２間に電子機器Ｐを受け入れさせやすくできる。かかる連係手段４は、前記回転体４０を介して一対のリンクロッド４１、４２を連係させており、保持パーツ２のスライド移動のストロークは回転体４０の回転量に比例して増減する。回転体４０の両端の移動軌跡はその回転中心４０ａを円心とする仮想の円の円弧上からズレることはなく、保持パーツ２のスライド移動のストロークを増やすようにしてもホルダー装置の大きさや各パーツの配置レイアウトを変更する必要はない。受け入れられ納められた電子機器Ｐは、付勢手段３の付勢により左右の保持パーツ２、２の間で挟み付けられ安定的に保持される。図示の例では、この保持状態において、電子機器Ｐの端部に接する前記カバー６０が弾性変形されるようになっている。（図５）保持された電子機器Ｐを取り出すときは、電子機器Ｐを把持して収容部１から抜き出させるようにするか、保持パーツ２自体の操作により、保持パーツ２を前記付勢に抗する向きにスライド移動させて電子機器Ｐの保持を解くようにする。電子機器Ｐが収容部１から取り出されると付勢手段３の付勢により一対の保持パーツ２は再び基準位置に位置づけられる。図示の例では、収容部１の上辺の中間に上方に向けて凹んだ凹所１ｂが、収容部１の下辺の中間に下方に向けて凹んだ凹所１ｃがそれぞれ形成されて、収容部１の中央が幅広になっており、これら凹み１ｂ、１ｃを利用して収容部１への電子機器Ｐの納め入れ、および、収容部１からのその取り出しが行いやすいようになっている。（図１）
【００３０】
前記保持パーツ２とリンクロッドを合成樹脂により一体に成形すると共に、リンクロッドの一端を保持パーツ２に弾性変形可能部を介して一体につなぎ合わさせるようにすることもできる。このようにした場合、ホルダー装置の部品点数を減少させることができる。
【００３１】
また、図示の例では、右側の保持パーツ２の一部を突き出させる窓穴６０ｄの上方において、インナーケース６のカバー６０の内壁部６０ｂにプラグの導入穴１ｄが形成されており、保持されている電子機器Ｐに接続されるプラグ付きのコード類のプラグをこの導入穴１ｄを通じてこの電子機器Ｐに接続させることができるようにしてある。
【図面の簡単な説明】
【００３２】
【図１】ホルダー装置の斜視構成図
【図２】同内部構成を示した斜視構成図
【図３】連係手段４などを示した斜視構成図
【図４】電子機器Ｐを保持した状態のホルダー装置の正面構成図
【図５】図４におけるＡ−Ａ線断面図
【符号の説明】
【００３３】
Ｓ  対象物
Ｐ  電子機器
１  収容部
２  保持パーツ
３  付勢手段
４  連係手段
４０  回転体
４０ａ  回転中心
４１  リンクロッド
４２  リンクロッド
【図１】
2009234549.tif 000003
【図２】
2009234549.tif 000004
【図３】
2009234549.tif 000005
【図４】
2009234549.tif 000006
【図５】
2009234549.tif 000007